(57)【要約】【課題】  スラリー打ち込みポンプとして往復動定吐出圧ポンプを備えるフィルタープレスにおいて、目詰まりや破れ等の濾布の異常をいち早く検知する方法を提供する。【解決手段】  スラリー打ち込みポンプとして往復動定吐出圧ポンプを備えるフィルタープレスの濾布の異常検知方法であって、スラリー打ち込み開始から第１所定時間経過後の第２所定時間内のスラリー打ち込み回数を計測し、当該回数が第１所定値以下である場合に濾布が目詰まりしたと判断する。【選択図】  図１
2010051909.tif 000002
【特許請求の範囲】
【請求項１】
スラリー打ち込みポンプとして往復動定吐出圧ポンプを備えるフィルタープレスの濾布の異常検知方法であって、スラリー打ち込み開始から第１所定時間経過後の第２所定時間内のスラリー打ち込み回数を計測し、当該回数が第１所定値以下である場合に濾布が目詰まりしたと判断することを特徴とする異常検知方法。
【請求項２】
前記第１所定時間は、予め計測された、濾布が交換前の目詰まりした濾布である場合の、濾室内の空気がスラリーに置換されるのに要する時間以上の値に設定され、前記第１所定値は、予め計測された、濾布が交換前の目詰まりした濾布である場合の、スラリー打ち込み開始から前記第１所定時間経過後の前記第２所定時間内のスラリー打ち込み回数と同一値に設定されていることを特徴とする請求項１に記載の異常検知方法。
【請求項３】
スラリー打ち込みポンプとして往復動定吐出圧ポンプを備えるフィルタープレスの濾布の異常検知方法であって、スラリー打ち込み開始から第１所定時間経過後の第２所定時間内のスラリー打ち込み回数を計測し、当該回数が第２所定値を超える場合に濾布が破れたと判断することを特徴とする異常検知方法。
【請求項４】
前記第１所定時間は、予め計測された、濾布が交換前の目詰まりした濾布である場合の、濾室内の空気がスラリーに置換されるのに要する時間以上の値に設定され、前記第２所定値は、予め計測された、濾布が未使用の新品の濾布である場合の、スラリー打ち込み開始から前記第１所定時間経過後の第２所定時間内のスラリー打ち込み回数と同一値に設定されていることを特徴とする請求項３に記載の異常検知方法。
【請求項５】
往復動定吐出圧ポンプは、ケーシングの一部と一対のダイアフラムとで形成された対峙する一対の圧力室と、ケーシングの残余部と前記一対のダイアフラムとで形成され前記一対の圧力室に隣接する一対のポンプ室と、エア供給源から供給された加圧エアを前記一対の圧力室に交互に給排気するパイロット弁機構又は電磁弁機構と、ケーシングの前記一部を貫通して前記一対の圧力室に進入し前記一対のダイアフラムを連結するロッドと、各ポンプ室に配設された吸入弁と吐出弁とを備えるエア駆動複式ダイアフラムポンプであり、前記ロッドの往復動又は圧力室の内圧変動を検知してスラリー打ち込み回数を計測することを特徴とする請求項１乃至４の何れか１項に記載の異常検知方法。
【請求項６】
スラリー打ち込みポンプとしての往復動定吐出圧ポンプと、往復動定吐出圧ポンプの作動を制御する制御装置とを備え、制御装置は、スラリー打ち込み開始から第１所定時間経過後の第２所定時間内のスラリー打ち込み回数を計測し、当該回数が第１所定値以下である場合に濾布が目詰まりしたと判断して警報を発することを特徴とするフィルタープレス。
【請求項７】
前記第１所定時間は、予め計測された、濾布が交換前の目詰まりした濾布である場合の、濾室内の空気がスラリーに置換されるのに要する時間以上の値に設定され、前記第１所定値は、予め計測された、濾布が交換前の目詰まりした濾布である場合の、スラリー打ち込み開始から前記第１所定時間経過後の前記第２所定時間内のスラリー打ち込み回数と同一値に設定されていることを特徴とする請求項６に記載のフィルタープレス。
【請求項８】
スラリー打ち込みポンプとしての往復動定吐出圧ポンプと、往復動定吐出圧ポンプの作動を制御する制御装置とを備え、制御装置は、スラリー打ち込み開始から第１所定時間経過後の第２所定時間内のスラリー打ち込み回数を計測し、当該回数が第２所定値を超える場合に濾布が破れたと判断して警報を発することを特徴とするフィルタープレス。
【請求項９】
前記第１所定時間は、予め計測された、濾布が交換前の目詰まりした濾布である場合の、濾室内の空気がスラリーに置換されるのに要する時間以上の値に設定され、前記第２所定値は、予め計測された、濾布が未使用の新品の濾布である場合の、スラリー打ち込み開始から前記第１所定時間経過後の第２所定時間内のスラリー打ち込み回数と同一値に設定されていることを特徴とする請求項８に記載のフィルタープレス。
【請求項１０】
往復動定吐出圧ポンプは、ケーシングの一部と一対のダイアフラムとで形成された対峙する一対の圧力室と、ケーシングの残余部と前記一対のダイアフラムとで形成され前記一対の圧力室に隣接する一対のポンプ室と、エア供給源から供給された加圧エアを前記一対の圧力室に交互に給排気するパイロット弁機構又は電磁弁機構と、ケーシングの前記一部を貫通して前記一対の圧力室に進入し前記一対のダイアフラムを連結するロッドと、各ポンプ室に配設された吸入弁と吐出弁とを備えるエア駆動複式ダイアフラムポンプであり、制御装置は、前記ロッドの往復動又は圧力室の内圧変動を検知してスラリー打ち込み回数を計測することを特徴とする請求項６乃至９の何れか１項に記載のフィルタープレス。
【発明の詳細な説明】
【技術分野】
【０００１】
本発明は、フィルタープレスの濾布の異常検知方法に関するものである。
【背景技術】
【０００２】
特許文献１等に開示されたフィルタープレスが、汚泥処理に広く使用されている。
【特許文献１】特公平２−６２２８５号公報
【発明の開示】
【発明が解決しようとする課題】
【０００３】
フィルタープレスを用いて汚泥処理を行う場合、目詰まりや破れ等の濾布の異常をいち早く検知することが、処理効率向上の観点から肝要である。
本発明は、スラリー打ち込みポンプとして往復動定吐出圧ポンプを備えるフィルタープレスにおいて、目詰まりや破れ等の濾布の異常をいち早く検知する方法並びに目詰まりや破れ等の濾布の異常をいち早く検知することができるフィルタープレスを提供することを目的とする。
【課題を解決するための手段】
【０００４】
上記課題を解決するために、本発明においては、スラリー打ち込みポンプとして往復動定吐出圧ポンプを備えるフィルタープレスの濾布の異常検知方法であって、スラリー打ち込み開始から第１所定時間経過後の第２所定時間内のスラリー打ち込み回数を計測し、当該回数が第１所定値以下である場合に濾布が目詰まりしたと判断することを特徴とする異常検知方法を提供する。
エア駆動ダイアフラムポンプ等の往復動定吐出圧ポンプをスラリー打ち込みポンプとして使用した場合、定圧のスラリーが濾室に供給されるので、濾室がスラリーで満たされた後は、濾布が有する貫通細孔の流路抵抗の増減に対応して、即ち濾布の目詰まり程度の増減に対応して、１回のスラリー打ち込みに要する時間が増減し、所定時間内のスラリー打ち込み回数が減増する。従って、濾室がスラリーで満たされるのに要する第１所定時間がスラリー打ち込み開始から経過した後の第２所定時間内のスラリー打ち込み回数を計測し、当該回数が第１所定値以下である場合に濾布が目詰まりしたと判断することにより、目詰まりという濾布の異常を検知することができる。
【０００５】
本発明の好ましい態様においては、前記第１所定時間は、予め計測された、濾布が交換前の目詰まりした濾布である場合の、濾室内の空気がスラリーに置換されるのに要する時間以上の値に設定され、前記第１所定値は、予め計測された、濾布が交換前の目詰まりした濾布である場合の、スラリー打ち込み開始から前記第１所定時間経過後の前記第２所定時間内のスラリー打ち込み回数と同一値に設定されている。
濾室がスラリーで満たされるのに要する第１所定時間は、交換前の目詰まりした濾布を使用した場合に最も長くなり、第２所定時間内のスラリー打ち込み回数は、交換前の目詰まりした濾布を使用した場合に最も少なくなる。従って、前記第１所定時間を、予め計測した、濾布が交換前の目詰まりした濾布である場合の、濾室内の空気がスラリーに置換されるのに要する時間以上の値に設定し、前記第１所定値を、予め計測した、濾布が交換前の目詰まりした濾布である場合の、スラリー打ち込み開始から前記第１所定時間経過後の前記第２所定時間内のスラリー打ち込み回数と同一値に設定しておけば、確実に濾布の目詰まりを検知することができる。
【０００６】
本発明においては、スラリー打ち込みポンプとして往復動定吐出圧ポンプを備えるフィルタープレスの濾布の異常検知方法であって、スラリー打ち込み開始から第１所定時間経過後の第２所定時間内のスラリー打ち込み回数を計測し、当該回数が第２所定値を超える場合に濾布が破れたと判断することを特徴とする異常検知方法を提供する。
エア駆動ダイアフラムポンプ等の往復動定吐出圧ポンプをスラリー打ち込みポンプとして使用した場合、定圧のスラリーが濾室に供給されるので、濾室がスラリーで満たされた後は、濾布が有する貫通細孔の流路抵抗の増減に対応して、１回のスラリー打ち込みに要する時間が増減し、所定時間内のスラリー打ち込み回数が減増する。濾布が破れている場合は、濾布の流路抵抗が減少するので、第２所定時間内のスラリー打ち込み回数は増加する。従って、濾室がスラリーで満たされるのに要する第１所定時間がスラリー打ち込み開始から経過した後の第２所定時間内のスラリー打ち込み回数を計測し、当該回数が第２所定値を超える場合場合に濾布が破れたと判断することにより、破れという濾布の異常を検知することができる。
【０００７】
本発明の好ましい態様においては、前記第１所定時間は、予め計測された、濾布が交換前の目詰まりした濾布である場合の、濾室内の空気がスラリーに置換されるのに要する時間以上の値に設定され、前記第２所定値は、予め計測された、濾布が未使用の新品の濾布である場合の、スラリー打ち込み開始から前記第１所定時間経過後の第２所定時間内のスラリー打ち込み回数と同一値に設定されている。
濾室がスラリーで満たされるのに要する第１所定時間は、破れの無い濾布であれば、交換前の目詰まりした濾布を使用した場合に最も長くなる。また、第２所定時間内のスラリー打ち込み回数が、濾布が未使用の新品の濾布である場合の第２所定時間内のスラリー打ち込み回数を超えるのは、濾布が破れている場合である。従って、前記第１所定時間を、予め計測した、濾布が交換前の目詰まりした濾布である場合の、濾室内の空気がスラリーに置換されるのに要する時間以上の値に設定し、前記第２所定値を、予め計測した、未使用の新品の濾布である場合の、前記第２所定時間内のスラリー打ち込み回数と同一値に設定しておけば、略確実に濾布の破れを検知することができる。
【０００８】
本発明の好ましい態様においては、往復動定吐出圧ポンプは、ケーシングの一部と一対のダイアフラムとで形成された対峙する一対の圧力室と、ケーシングの残余部と前記一対のダイアフラムとで形成され前記一対の圧力室に隣接する一対のポンプ室と、エア供給源から供給された加圧エアを前記一対の圧力室に交互に給排気するパイロット弁機構又は電磁弁機構と、ケーシングの前記一部を貫通して前記一対の圧力室に進入し前記一対のダイアフラムを連結するロッドと、各ポンプ室に配設された吸入弁と吐出弁とを備えるエア駆動複式ダイアフラムポンプであり、前記ロッドの往復動又は圧力室の内圧変動を検知してスラリー打ち込み回数を計測する。
往復動定吐出圧ポンプがエア駆動複式ダイアフラムポンプである場合、一対のダイアフラムを相互に連結するロッドの往復動又は圧力室の内圧変動を検知して、往復動又は圧力変動の回数を計測することにより、スラリー打ち込み回数を計測することができる。
【０００９】
本発明においては、スラリー打ち込みポンプとしての往復動定吐出圧ポンプと、往復動定吐出圧ポンプの作動を制御する制御装置とを備え、制御装置は、スラリー打ち込み開始から第１所定時間経過後の第２所定時間内のスラリー打ち込み回数を計測し、当該回数が第１所定値以下である場合に濾布が目詰まりしたと判断して警報を発することを特徴とするフィルタープレスを提供する。
また本発明においては、スラリー打ち込みポンプとしての往復動定吐出圧ポンプと、往復動定吐出圧ポンプの作動を制御する制御装置とを備え、制御装置は、スラリー打ち込み開始から第１所定時間経過後の第２所定時間内のスラリー打ち込み回数を計測し、当該回数が第２所定値を超える場合に濾布が破れたと判断して警報を発することを特徴とするフィルタープレスを提供する。
本発明に係るフィルタープレスにおいては、濾布の目詰まりや破れがいち早く検知され警報が発せられるので、濾布の洗浄や修理を迅速に行うことができ、高い処理効率を実現できる。
【発明の効果】
【００１０】
本発明により、スラリー打ち込みポンプとして往復動定吐出圧ポンプを備えるフィルタープレスにおいて、目詰まりや破れ等の濾布の異常をいち早く検知する方法並びに目詰まりや破れ等の濾布の異常をいち早く検知することができるフィルタープレスが提供される。
【発明を実施するための最良の形態】
【００１１】
本発明の実施例に係るフィルタープレスの濾布の異常検知方法を説明する。
図１（ａ）に示すように、全自動フィルタープレス１は、凹部２ａが形成された面を対向させて上下に延在し水平移動可能な一対の濾板２と、前記一対の濾板２の間に配設されて上下に延在しスラリー吐出口３ａが形成された中央板３と、スラリー吐出口３ａに接続されたスラリー打ち込み用のエア駆動複式ダイアフラムポンプ４と、各濾板２と中央板３との間に配設されて上下に延在する濾布５とを備えている。全自動フィルタープレス１は更に、中央板３に摺接する一対のブレード６ａを有し上下移動可能なケーキ掻き落とし部材６を備えている。濾布５の上端はケーキ掻き落とし部材６に固定されており、濾布５の下端に固定された錘７が、濾布５に上下方向の張力を印加している。濾板２の下端角部２ｂと濾板２の直下に配設されたピアノ線８とが濾布５に係合し、濾布５を乙状に屈曲させている。
【００１２】
エア駆動複式ダイアフラムポンプ４は、例えば特許第３０２３８７２号公報や特開２００７−１２０４４６号公報等に開示されているように、ケーシングの一部と一対のダイアフラムとで形成された対峙する一対の圧力室と、ケーシングの残余部と前記一対のダイアフラムとで形成され前記一対の圧力室に隣接する一対のポンプ室と、エア供給源から供給された加圧エアを前記一対の圧力室に交互に供給排気するパイロット弁機構と、ケーシングの前記一部を貫通して前記一対の圧力室に進入し前記一対のダイアフラムを連結するロッドと、各ポンプ室に配設された吸入弁と吐出弁とを備えている。パイロット弁機構は、一方の圧力室の容積が最小となり他方の圧力室の容積が最大となる位置まで一対のダイアフラムが変位し、ひいてはロッドが変位すると、前記一方の圧力室を給気路に接続すると共に前記他方の圧力室を排気路に接続し、前記一方の圧力室の容積が最大となり前記他方の圧力室の容積が最小となる位置まで一対のダイアフラムが変位し、ひいてはロッドが変位すると、前記一方の圧力室を排気路に接続すると共に前記他方の圧力室を給気路に接続する。エア駆動複式ダイアフラムポンプ４をエア供給源に接続すれば、パイロット弁機構の作動により、エア駆動複式ダイアフラムポンプ４は、一対のポンプ室に交互に流体を吸引し一対のポンプ室から交互に流体を吐出する動作を自動的に繰り返す。
【００１３】
全自動フィルタープレス１は制御装置９を備えている。制御装置９は、エア駆動複式ダイアフラムポンプ４に供給される加圧エアの圧力を可変制御すると共に、エア駆動複式ダイアフラムポンプ４の一対のダイアフラムを連結するロッドの位置を検知する近接センサー等の位置センサーの検知信号に基づいてロッドの往動回数と復動回数の和、即ちエア駆動複式ダイアフラムポンプ４によるスラリーの打ち込み回数を計数してポンプ４の作動を制御する。
【００１４】
全自動フィルタープレス１の作動を説明する。
図１（ａ）に示すように、ケーキ掻き落とし部材６が中央板３の上方へ移動し、中央板３と濾板２とが濾布５を間に挟んで当接し、凹部２ａが密閉された状態で、ポンプ４が始動し、密閉された凹部２ａが形成する濾室に、中央板３のスラリー吐出口３ａを介してスラリーを打ち込む。スラリー中の固形物を濾布５で濾し取ると共に、濾布５を通過したスラリー中の水分を濾板２に形成した図示しない排出穴を介して全自動フィルタープレス１外へ排出する。
【００１５】
制御装置９は、濾布５の目詰まりを抑制するために、スラリーの打ち込み開始後所定時間Ｔに亙ってポンプ４に定低圧の加圧エアを供給し、定低圧のスラリーを凹部２ａが形成する濾室に打ち込む。
前記所定時間Ｔ中の最初の時間Ｔ１は、濾室内の空気をスラリーに置換するために費やされる。時間Ｔ１経過時から時間Ｔ経過時までの間は、定低圧スラリーの濾過に費やされる。エア駆動ダイアフラムポンプ４は往復動定吐出圧ポンプであり、定圧のスラリーが濾室に供給されるので、濾室がスラリーで満たされた後は、濾布５が有する貫通細孔の流路抵抗の増減に対応して、即ち濾布５の目詰まり程度の増減に対応して、１回のスラリー打ち込みに要する時間が増減し、所定時間内のスラリー打ち込み回数が減増する。
制御装置９は、濾室がスラリーで満たされるのに要する時間Ｔ１がスラリー打ち込み開始から経過した後の時間Ｔ−Ｔ１内のスラリー打ち込み回数を計測し、当該回数が所定値Ｎ１以下である場合には濾布５が目詰まりしたと判断し、逆に前記回数がＮ１よりも大きな所定値Ｎ２を超える場合には濾布５が破れたと判断して警報を発し、ポンプ４を停止させる。これにより、スラリー打ち込み開始後早々に濾布５の目詰まりや破れが発見され、保守要員による迅速な濾布５の洗浄や迅速な濾布５の修理交換が実現され、目詰まりした濾布５の使用により濾過時間が長大化して濾過効率が低下し、或いは破れた濾布５の使用により濾過の実効性が失われる等の不都合な事態の発生が防止される。
【００１６】
時間Ｔ−Ｔ１内のスラリー打ち込み回数が所定値Ｎ１を超え所定値Ｎ２以下である場合には、制御装置９は、濾布５が正常であると判断して、時間Ｔ経過後にポンプ４に定高圧の加圧エアを供給し、定高圧のスラリーを凹部２ａが形成する濾室に打ち込む。この結果、スラリーの濾過が高速で進行する。
スラリーの高圧打ち込み回数が所定値に達すると、制御装置９は濾室内のケーキ密度が所定値まで上昇したと判断して、ポンプ４の作動を停止させる。
【００１７】
図１（ｂ）に示すように、濾板２が水平移動して中央板３から離れ、凹部２ａからケーキが脱落する。ケーキ掻き落とし部材６が下方へ移動し、ブレード６ａが中央板３に摺接しつつ下方へ移動して、中央板３からケーキを掻き落とす。上下方向の張力を印加された濾布５が、ケーキ掻き落とし部材６に従動して下方へ移動する。濾布５が濾板２の下端角部２ｂと係合して屈曲する際に、濾布５に付着したケーキが濾布５から剥離除去され、濾布５がピアノ線８と係合して屈曲する際に、濾布５上に残存するケーキが濾布５から掻き落とされる。濾布５からケーキが除去されると、ケーキ掻き落とし部材６が中央板３の上方へ移動し、濾板２が水平移動し濾布５を間に挟んで中央板３に当接し、凹部２ａが密閉されて、スラリーの濾過が再開される。
スラリーの濾過と、濾過停止後のケーキ除去とが自動的に繰り返されて、スラリーの濾過が全自動で遂行される。
【００１８】
時間Ｔは、経験に基づいて得られた濾布５の目詰まりを抑制できる値に設定されている。濾室がスラリーで満たされるのに要する時間Ｔ１は、交換前の目詰まりした濾布を使用した場合に最も長くなり、時間Ｔ−Ｔ１内のスラリー打ち込み回数は、交換前の目詰まりした濾布を使用した場合に最も少なくなる。従って、時間Ｔ１は、予め計測した、濾布が交換前の目詰まりした濾布である場合の、濾室内の空気がスラリーに置換されるのに要する時間以上の値に設定され、所定値Ｎ１は、予め計測した、濾布が交換前の目詰まりした濾布である場合の、時間Ｔ−Ｔ１内のスラリー打ち込み回数と同一値に設定されている。時間Ｔ−Ｔ１内のスラリー打ち込み回数が、予め計測した、濾布が未使用の新品である場合の、時間Ｔ−Ｔ１内のスラリー打ち込み回数を超えるのは、濾布が破れている場合である。従って、所定値Ｎ２は、予め計測した、濾布が未使用の新品である場合の、時間Ｔ−Ｔ１内のスラリー打ち込み回数と同一値に設定されている。上述のようにＴ、Ｔ１、Ｎ１、Ｎ２が決定されることにより、濾布５の異常が確実に検知される。
【００１９】
一対のダイアフラムを連結するロッドの位置を検知するのに代えて、給排気に伴う圧力室の内圧変動を検知してスラリーの打ち込み回数を計測しても良い。
エア駆動複式ダイアフラムポンプ４において、パイロット弁に代えて電磁弁を用いて圧力室と給気路、排気路との接続を切り替えても良い。この場合、近接センサー等の位置センサーの検知信号に基づいて一対のダイアフラムを連結するロッドの位置を検知し、ロッドが一方の側へ最大変位した時に当該側の圧力室を排気路に接続し他方側の圧力室を給気路に接続し、ロッドが他方の側へ最大変位した時に当該側の圧力室を排気路に接続し他方側の圧力室を給気路に接続するように、電磁弁機構の作動を制御する。エア駆動複式ダイアフラムポンプ４をエア供給源に接続すれば、電磁弁機構の作動により、エア駆動複式ダイアフラムポンプ４は、一対のポンプ室に交互に流体を吸引し一対のポンプ室から交互に流体を吐出する動作を繰り返す。
エア駆動複式ダイアフラムポンプ４に代えて、往復動のピッチが吐出側の流路抵抗によって変動する他の構造の定吐出圧往復動ポンプを使用しても良い。
【産業上の利用可能性】
【００２０】
本発明は、フィルタープレスに広く利用可能である。
【図面の簡単な説明】
【００２１】
【図１】本発明の実施例に係る濾布の異常検知方法が実施される全自動フィルタープレスの構造図である。
【符号の説明】
【００２２】
１  全自動フィルタープレス
２  濾板
２ａ  凹部
２ｂ  下端角部
３  中央板
３ａ  スラリー吐出口
３ｂ  凹部
４  エア駆動複式ダイアフラムポンプ
５、１０  濾布
６  ケーキ掻き落とし部材
６ａ  ブレード
７  錘
８  ピアノ線
９  制御装置
【図１】
2010051909.tif 000003